【手続補正書】
【提出日】平成20年4月4日(2008.4.4)
【手続補正１】
【補正対象書類名】明細書
【補正対象項目名】特許請求の範囲
【補正方法】変更
【補正の内容】
【特許請求の範囲】
【請求項１】  加熱体と、フィルムと、前記フィルムを挟んで前記加熱体に圧接され駆動回転される加圧部材とを有し、前記フィルムを挟んで前記加熱体と前記加圧部材とで形成される圧接ニップ部において、被加熱材を挟持搬送させることにより、前記加熱体の熱を前記フィルムを介して被加熱材へ付与する加熱装置において、
前記加圧部材の駆動に伴って移動する前記フィルムの速度を検知するフィルム速度検知手段を有し、前記フィルム速度検知手段の検知速度に基づいて前記加圧部材の速度を可変できることを特徴とする加熱装置。
【請求項２】  前記フィルム速度検知手段は、前記フィルムの一部に設けた光反射部と、前記光反射部に向け投光しその反射光を受光する反射型センサとを有することを特徴とする請求項１に記載の加熱装置。
【請求項３】  前記フィルム速度検知手段は、前記フィルムの一部に設けられた光透過部と、前記光透過部の光の透過を検知する透過型センサとを有することを特徴とする請求項１に記載の加熱装置。
【請求項４】  前記フィルム速度検知手段は、前記フィルムの端部に形成された切り欠き部と、前記フィルムの端部に当接し、前記切り欠き部との当接によって動作するレバーと、前記レバーの動作を検知するセンサと、を有することを特徴とする請求項１に記載の加熱装置。
【請求項５】  前記フィルムはエンドレスフィルムであることを特徴とする請求項１から４のいずれか１項に記載の加熱装置。
【請求項６】  起動時における前記加圧部材の駆動速度を実際の駆動速度よりも高く設定し、前記フィルム速度検知手段での検知速度が所定速度よりも高いと、前記駆動速度を低くして前記実際の駆動速度に制御することを特徴とする請求項１から５のいずれか１項に記載の加熱装置。
【請求項７】  像担持体に形成した潜像をトナーにより現像してトナー画像を得る作像手段と、前記トナー画像を記録材に転写する転写手段と、前記転写手段でトナー画像の転写された前記被加熱材としての記録材を加熱定着する請求項１から６のいずれか１項に記載の加熱装置としての定着手段とを有することを特徴とする画像形成装置。
【手続補正２】
【補正対象書類名】明細書
【補正対象項目名】０００８
【補正方法】変更
【補正の内容】
【０００８】
加圧ローラは通常一定回転数で回転駆動されているため、加圧ローラが高温のときは低温のときよりも熱膨張が大きくなって回転速度が増加し、被加熱材挟持搬送速度が速くなってしまう。
【手続補正３】
【補正対象書類名】明細書
【補正対象項目名】００１０
【補正方法】変更
【補正の内容】
【００１０】
そのため、例えば、この加熱装置を画像加熱定着装置として画像形成装置に使用した場合、該加熱装置よりも上流側の処理部である作像部、例えば画像転写部での被記録材の搬送速度は一定に保たれているため、被記録材が転写部から該加熱装置の被記録材圧接ニップ部（定着部）に到達して挟持搬送状態になると、加圧ローラが高温状態時には転写部での被記録材搬送速度よりも該加熱装置の定着部における被記録材挟持搬送速度が大きい状態を生じて、該加熱装置が被記録材を引っ張ることとなり、この影響で転写部において画像ブレが生じてしまう。
【手続補正４】
【補正対象書類名】明細書
【補正対象項目名】００１３
【補正方法】変更
【補正の内容】
【００１３】
しかしながら、長尺の被記録材を通紙使用するＡ３機のような画像形成装置ともなると、転写部及び定着部間の被記録材搬送距離が長くなり過ぎ、画像形成装置本体がかなり大型化してしまうのが実状であった。
【手続補正５】
【補正対象書類名】明細書
【補正対象項目名】００１７
【補正方法】変更
【補正の内容】
【００１７】
【発明が解決しようとする課題】
第１の発明は、加熱体と、フィルムと、前記フィルムを挟んで前記加熱体に圧接され駆動回転される加圧部材とを有し、前記フィルムを挟んで前記加熱体と前記加圧部材とで形成される圧接ニップ部において、被加熱材を挟持搬送させることにより、前記加熱体の熱を前記フィルムを介して被加熱材へ付与する加熱装置において、前記加圧部材の駆動に伴って移動する前記フィルムの速度を検知するフィルム速度検知手段と、前記フィルム速度検知手段の検知速度に基づいて被加熱材の搬送速度を予測して前記加圧部材の速度を可変できることを特徴とする。
【手続補正６】
【補正対象書類名】明細書
【補正対象項目名】００１９
【補正方法】変更
【補正の内容】
【００１９】
第３の発明は、上記第１の発明で、前記フィルム速度検知手段は、前記フィルムの一部に設けられた光透過部と、前記光透過部の光の透過を検知する透過型センサとを有することを特徴とする。
【手続補正７】
【補正対象書類名】明細書
【補正対象項目名】００２０
【補正方法】変更
【補正の内容】
【００２０】
第４の発明は、上記第１の発明で、前記フィルム速度検知手段は、前記フィルムの端部に形成された切り欠き部と、前記フィルムの端部に当接し、前記切り欠き部との当接によって動作するレバーと、前記レバーの動作を検知するセンサと、を有することを特徴とする。
【手続補正８】
【補正対象書類名】明細書
【補正対象項目名】００２２
【補正方法】変更
【補正の内容】
【００２２】
第６の発明は、上記いずれかの発明で、起動時における前記加圧部材の駆動速度を実際の駆動速度よりも高く設定し、前記フィルム速度検知手段での検知速度が所定速度よりも高いと、前記駆動速度を低くして前記実際の駆動速度に制御することを特徴とする。
【手続補正９】
【補正対象書類名】明細書
【補正対象項目名】００２３
【補正方法】変更
【補正の内容】
【００２３】
第７の発明は、像担持体に形成した潜像をトナーにより現像してトナー画像を得る作像手段と、前記トナー画像を記録材に転写する転写手段と、前記転写手段でトナー画像の転写された前記被加熱材としての記録材を加熱定着する上記いずれかの加熱装置としての定着手段とを有することを特徴とする画像形成装置にある。
【手続補正１０】
【補正対象書類名】明細書
【補正対象項目名】００２６
【補正方法】変更
【補正の内容】
【００２６】
前記スキャナ部Ｂは、走査系光源２０１、プラテンガラス２０２、装置本体Ａに対して開閉可能な原稿圧板２０３、ミラー２０４、レンズ２０５、および受光素子（光電変換素子）２０６および画像処理部などを有して構成されている。そして、プラテンガラス２０２上に本や厚紙、カール紙等のブック原稿やシート状原稿などを原稿面を下側にして載置し、原稿圧板２０３により背面を押圧して静止状態でセットし、読み取り開始キーを押すと、走査系光源２０１がプラテンガラス２０２の下部を一方向に走査して原稿面の画像情報を読み取る。走査系光源２０１により読み取られた原稿の画像情報は画像処理部で処理され、電気信号に変換されてレーザスキャナ１１１に伝送される。
【手続補正１１】
【補正対象書類名】明細書
【補正対象項目名】００２８
【補正方法】変更
【補正の内容】
【００２８】
一方、画像形成部Ｃの下部にはシートカセット１を装着しており、このシートカセット１は下段カセット１ａと上段カセット１ｂの２個で１つの給送ユニットとして構成されている。本実施形態では、２つの給送ユニットＵ１，Ｕ２を装着して４個のカセットを装着するようにしている。そして、上方に位置する１つの給送ユニットＵ１は装置本体Ａに対して着脱可能に取り付けられ、下方の給送ユニットＵ２はシートデッキＤに着脱可能に取り付けられている。
【手続補正１２】
【補正対象書類名】明細書
【補正対象項目名】００３３
【補正方法】変更
【補正の内容】
【００３３】
また、シートの両面に画像を記録する場合には、定着装置１１８から排出されたシートが排出ローラ１１９に挟持され、シートの後端が分岐点２０７を通過した時点で該排出ローラ１１９が逆転し、シート両面トレイ１２１上に一旦載置された後、搬送ローラ１０５により搬送されて、レジストローラ１０６に到達し、反転されたシートは第２面に前述と同様にして画像が形成された後、ソーター１２０に排出、積載されるように構成されている。
【手続補正１３】
【補正対象書類名】明細書
【補正対象項目名】００３４
【補正方法】変更
【補正の内容】
【００３４】
［定着装置の説明］
図１は画像形成装置本体の画像転写部から定着部までの断面図である。本例の定着装置は加圧部材駆動式、テンションレスタイプのフィルム加熱方式の加熱装置である。また、図２は、定着装置の加圧ローラ１８及び定着フィルム１２のニップ部を上流側から見た図である。
【手続補正１４】
【補正対象書類名】明細書
【補正対象項目名】００３９
【補正方法】変更
【補正の内容】
【００３９】
１８はヒータ１３との間でフィルム１２を挟んで圧接ニップである定着部Ｎを形成し、フィルム１２を駆動する回転体としてのフィルム加圧ローラであり、アルミニウム、鉄、ステンレス等の芯軸１９と、この軸に外装したシリコンゴム等の離型性の良い耐熱ゴム弾性体からなる、肉厚３ｍｍ、外径２０ｍｍのローラ部とからなる。また、表面には被記録材Ｐ、定着フィルム１２の搬送性、トナーの汚れ防止の理由からフッ素樹脂を分散させたコート層を設けてある。
【手続補正１５】
【補正対象書類名】明細書
【補正対象項目名】００４０
【補正方法】変更
【補正の内容】
【００４０】
芯軸１９の端部が定着装置駆動用モータＭ２により駆動されることで矢示の反時計方向に回転駆動され、この加圧ローラ１８の回転駆動によりエンドレスの耐熱性フィルム１２がその内面がヒータ１３の面に密着摺動しながら図１の時計方向に回転駆動される。
【手続補正１６】
【補正対象書類名】明細書
【補正対象項目名】００４１
【補正方法】変更
【補正の内容】
【００４１】
２１は反射型センサであり、定着フィルム１２の上方に取り付けられている。そして、前述の反射材２０からの反射光を検知しその信号をＣＰＵ１００に送っている。ＣＰＵ１００は、その信号とフィルム１２の周長より、定着フィルム１２が一回転するのに要する時間を計算し、その回転速度を割り出すことができる。
【手続補正１７】
【補正対象書類名】明細書
【補正対象項目名】００４３
【補正方法】変更
【補正の内容】
【００４３】
そこで、定着フィルム１２の回転速度が所定の速度より速い場合は、定着装置駆動用モータＭ２の速度を落とし、定着フィルム１２の回転速度が所定の速度より遅い場合は、定着装置駆動用モータＭ２の速度を上げる。
【手続補正１８】
【補正対象書類名】明細書
【補正対象項目名】００４５
【補正方法】変更
【補正の内容】
【００４５】
そして、定着フィルム速度を検知し（Ｓ２）、Ｓ３で定着フィルムの速度が上記所定の速度よりも低いか高いかを判断する。つまり、温度上昇により加圧ローラ１８の回転速度は上昇し、同時に定着フィルム１２の回転速度も図４のように上昇を始める。しかし、所望の速度に対しては、当然遅い。
【手続補正１９】
【補正対象書類名】明細書
【補正対象項目名】００４６
【補正方法】変更
【補正の内容】
【００４６】
そこで、本実施の形態では定着装置駆動用モータＭ２の速度を予め高く設定しておき、定着フィルム１２の回転速度の上昇に伴って、低くなるように制御している（Ｓ４）。また、定着フィルム１２の回転速度が低いと（Ｓ３）、定着駆動速度を高めるようにしている。
【手続補正２０】
【補正対象書類名】明細書
【補正対象項目名】００４９
【補正方法】変更
【補正の内容】
【００４９】
本実施の形態では、定着フィルム１２の回転速度を、反射型センサ２１を用いて検知したが、例えばレーザー変位計を用いて行っても良い。
【手続補正２１】
【補正対象書類名】明細書
【補正対象項目名】００５０
【補正方法】変更
【補正の内容】
【００５０】
また、反射型センサ２１では、定着フィルム１２に反射材２０をコートしなくてはならないので、コストがかかる。そこで透過型センサを使用することもできる。
【手続補正２２】
【補正対象書類名】明細書
【補正対象項目名】００５４
【補正方法】変更
【補正の内容】
【００５４】
第３の実施の形態
図７に示すように、フィルム１２の端部（切り欠き部３３を有する）にレバー３０を支点３１を中心に回動可能に突き当てる。そして、フィルム１２の切り欠き部３３に突き当たるレバー３０の動きを透過型センサ３２で検知しても良い。この構成では、透過型センサ３２の配置をヒータから遠ざけることができるので、センサの寿命をのばすことができる。
【手続補正２３】
【補正対象書類名】図面
【補正対象項目名】図１
【補正方法】変更
【補正の内容】
【図１】
2002311744.tif 000001
【手続補正２４】
【補正対象書類名】図面
【補正対象項目名】図３
【補正方法】変更
【補正の内容】
【図３】
2002311744.tif 000002
【手続補正２５】
【補正対象書類名】図面
【補正対象項目名】図７
【補正方法】変更
【補正の内容】
【図７】
2002311744.tif 000003
【手続補正２６】
【補正対象書類名】図面
【補正対象項目名】図８
【補正方法】変更
【補正の内容】
【図８】
2002311744.tif 000004